(57)【特許請求の範囲】
【請求項１】
円筒部を有するロッドアンテナと、該ロッドアンテナが装着されるケースとを含む無線装置のロッドアンテナ実装構造において、
前記ロッドアンテナに対して、根元部に円筒形端子を備えると共に、前記根元部と前記円筒部との間に平板を備え、該平板は正面と背面に曲面を有すると共に該曲面の直径が右側面と左側面との間の寸法よりも大きくなるようにし、
前記ケースに対して、前記平板の形状に合わせた穴と、該穴に前記ロッドアンテナを挿入して所定の角度だけ回転させたときに前記平板が挟み込まれる溝とを備え、
前記ロッドアンテナが装着された後に前記ケースに装着され前記平板の回転を防止するリブを有するキャップとを備え、
前記ロッドアンテナの着脱が容易に行えるように構成したことを特徴とする無線装置のロッドアンテナ実装構造。
【請求項２】
請求項１記載の無線装置のロッドアンテナ実装構造において、
前記円筒形端子の先端部が球形となるようにすると共に、基板と、前記基板に実装される金具とを備え、該金具は、穴と、該穴の周囲に前記円筒形端子が嵌合される複数の切片を有し、前記アンテナと前記基板との電気的接続が確実に行えるように構成したことを特徴とする無線装置のロッドアンテナ実装構造。
【請求項３】
請求項１記載の無線装置のロッドアンテナ実装構造において、
所定の角度が９０度となるように構成したことを特徴とする無線装置のロッドアンテナ構造。
【発明の詳細な説明】
【０００１】
【発明の属する技術分野】
本発明は、無線装置におけるロッドアンテナ（主として受信装置に用いられる棒状の空中線）実装構造に関するものである。
【０００２】
【従来の技術】
従来の無線装置のロッドアンテナ（以下、アンテナと省略する。）実装構造の一例について、図１０、１１を参照して説明する。図１０は従来の受信装置のアンテナ実装構造の一例を示す断面図、図１１が従来の受信装置のアンテナの外観を示す斜視図である。アンテナ基部１ａの先端にネジ穴１ｅを有する平板１ｄが設けられている。基板５にはアンテナ１で受信した信号を伝送するパターンが設けられている。アンテナ１はネジ７により基板５と共にリアケース２に取り付けられている。この取付によりアンテナ１と基板５とが電気的に接続される。リアケース２はネジ８により基板５と共にフロントケース３に取り付けられている。
【０００３】
【発明が解決しようとする課題】
前述の従来の無線装置のアンテナ実装構造においては、例えば使用時にアンテナを振り回すと、過大な力が固定部（アンテナの基板への取付部）に繰り返して作用することによりストレス（歪み）が生じることがある。しかし、過大な力が作用しているにもかかわらずネジ１本だけでアンテナを基板に取り付けているため特にネジの回転方向に対してガタが発生しやすくなるという欠点がある。更に、例えば長時間使用していたことによって異物が混入すると、基板パターンと接触不良をおこすという欠点がある。この接触不良をおこすという欠点を除去するために、アンテナを圧接する（押し当てている）基板パターン面を生産時にクリーニングすることにより、例えばフラックス等の異物の付着を防止することができる。しかし、基板パターン面にアンテナを圧接する構造となっているために、基板パターンとの接触部（アンテナの平板）をセルフクリーニングすることができないという欠点があった。
【０００４】
そこで本発明では、これらの欠点を除去することにより、アンテナのガタの発生をおさえること、基板とアンテナとの接触を確実に行わせること、及びアンテナのセルフクリーニングを行わせることで生産時及び使用時のクリーニングを行わなくてもすむようにすることで、アンテナの固定接続部（アンテナの基板への取付部及びアンテナと基板との電気的接続部）の品質を向上させると共に極めて利便性の良い無線装置のアンテナ構造を提供することを目的とする。
【０００５】
【課題を解決するための手段】
本発明は上記の目的を達成するため、下記に示す構造となるようにしたものである。アンテナには、根元部（ケースに装着する側の先端部）に円筒形端子を設けると共に、円筒形端子とアンテナ基部との間に平板を設ける。そしてこの平板は正面と背面に曲面を有し、この曲面の直径が右側面と左側面との間の寸法よりも大きくなるようにする。ケースには、平板の形状に合わせた穴と、アンテナを挿入して９０度回転させたときに平板が挟み込まれる溝を設ける。そして平板の回り止め用のリブを有しアンテナが装着された後にケースに装着されるキャップを設けるようにする。その結果、アンテナの着脱が容易に行えるようにする。更に、ケース内部の基板に実装される金具（アンテナ端子）を設ける。そして、この金具はアンテナの円筒形端子が嵌合される複数の切片を周囲に設けた穴を有するようにする。その結果、アンテナと基板との電気的接続が確実に行えるようにする。
【０００６】
【発明の実施の形態】
本発明の一実施例である無線装置である受信装置のアンテナ実装構造について、図１〜６を参照して説明する。図１、２は、それぞれ本実施例の受信装置のアンテナ実装構造を示す正面図、右側面図である。図３は、フロントケース３を排除した場合の本実施例の受信装置のアンテナ実装構造を示す下面図である。図４は本実施例である受信装置のアンテナ端子の外観を示す斜視図、図５は本実施例である受信装置のキャップの外観を示す斜視図、図６は本実施例の受信装置のリアケースの外観を示す斜視図、図７は本実施例である受信装置を裏側より見たときのアンテナ取付要領を示す斜視図、図８は本実施例である受信装置の構造を示す分解図、図９は本実施例の受信装置の外観を示す斜視図である。アンテナ１の基部１ａには図１、２、７、８に示すように、Ｔ型に突出する平板１ｂを有し、平板１ｂには球形の先端を有する円筒形端子部１ｃを有している。リアケース２は図１、２、６、７、８に示すように平板１ｂと同形の挿入穴２ａを有すると共に、挿入穴２ａの内壁リブ２ｂ、２ｃを有する。更に、内壁リブ２ｂ、２ｃの外側には平板１ｂを９０度回転させた際（図１、２は回転した状態を示す。）に挟み込まれる溝２ｅ、２ｆを有する。基板５には図８に示すようにアンテナ端子６が実装されており、このアンテナ端子６には図４、８に示すように円筒形端子部１ｃが嵌合される穴６ａと穴６ａの周囲に設けられた複数の切片６ｂを有している。フロントケース３には図８に示すようにアンテナ端子６を押さえるリブ３ａ、３ｂを有している。キャップ４には図１、３、５に示すようにアンテナ基部１ａへ挿入するための穴４ａ、穴４ａの両サイドに設けられ平板１ｂの回転を規制するリブ４ｂ、リアケース凸部２ｄに係り止めする爪４ｃ、リアケース溝２ｇに嵌合する凸部４ｄを有している。
【０００７】
アンテナ１の取付は図７に示すように、アンテナ１をリアケース２ａに挿入して９０度回転させた後、キャップ４を装着することにより行う。アンテナ１の取り外しは、キャップ４を扱者の指の爪で取り外した後、アンテナを９０度回転させて引き抜くことにより行う。従って、容易且つ着実にアンテナ１の着脱を行うことができる。即ちアンテナ１の交換作業を容易且つ確実に行うことができる。
【０００８】
なお、本実施例では、アンテナを着脱するときに回転させる角度が９０度である場合について説明したが、これに限定されるものではない。リブのキャップに対する取付位置に応じて、アンテナを着脱するときに回転させる角度を９０度以外の角度に設定することができる。
【０００９】
【発明の効果】
本発明によれば、ネジ１本で取り付けたときの様な回転方向でのガタの発生がなく、基板とアンテナとの電気的接触も確実に行え、生産時に接続面（本実施例では、円筒形端子部１ｃ）のクリーニングを必要とせず、アンテナ交換の際にもセルフクリーニングを行うことができる。（本実施例では、切片６ｂによりクリーニングされる。）更に、アンテナ交換時に工具を必要としないため、容易にアンテナを交換することができる。従って、アンテナ固定接続（アンテナのケースへの取付、及びアンテナと基板との電気的接続）における品質を向上させると共に極めて利便性の良い無線装置のアンテナ実装構造を提供することができる。
【００１０】
又、例えば落下衝撃等の外的要因により固定部（本実施例では、リブ４ｂ）にガタが発生する場合でも、接続部（本実施例では、切片６ｂ）はアンテナ端子部（本実施例では、円筒形端子部１ｃ）先端に追従しフレキシブルに動くため、接続部（本実施例では、切片６）の信頼性を確保することができる。
【図面の簡単な説明】
【図１】本発明の一実施例である受信装置のアンテナ実装構造を示す正面図。
【図２】本発明の一実施例である受信装置のアンテナ実装構造を示す右側面図。
【図３】本発明の一実施例である受信装置のアンテナ実装構造を示す下面図。
【図４】本発明の一実施例である受信装置のアンテナ端子の外観を示す斜視図。
【図５】本発明の一実施例である受信装置のキャップの外観を示す斜視図。
【図６】本発明の一実施例である受信装置のリアケースの外観を示す斜視図。
【図７】本発明の一実施例である受信装置を裏側より見たときのアンテナ取付要領を示す斜視図。
【図８】本発明の一実施例である受信装置の構造を示す分解図。
【図９】本発明の一実施例である受信装置の外観を示す斜視図。
【図１０】従来の受信装置のアンテナ実装構造の一例を示す断面図。
【図１１】従来の受信装置のアンテナの外観を示す斜視図。
【符号の説明】
１：アンテナ                            ２：リアケース
３：フロントケース               ４：キャップ
５：基板                         ６：アンテナ端子
７：ネジ                         ８：ネジ
１ａ：アンテナ基部               １ｂ：平板（本実施例）
１ｃ：円筒型端子部               １ｄ：平板（従来例）
１ｅ：ネジ穴
２ａ：穴                         ２ｂ：内壁リブ
２ｃ：内壁リブ                   ２ｄ：凸部
２ｅ：溝                         ２ｆ：溝
２ｇ：溝
２ｂａ：凸部                            ２ｃａ：凸部
３ａ：リブ                       ３ｂ：リブ
４ａ：穴                         ４ｂ：リブ
４ｃ：爪                         ４ｄ：凸部
６ａ：穴                         ６ｂ：切片
【図１】
0003642562.tif 000002
【図２】
0003642562.tif 000003
【図３】
0003642562.tif 000004
【図４】
0003642562.tif 000005
【図５】
0003642562.tif 000006
【図６】
0003642562.tif 000007
【図７】
0003642562.tif 000008
【図８】
0003642562.tif 000009
【図９】
0003642562.tif 000010
【図１０】
0003642562.tif 000011
【図１１】
0003642562.tif 000012